(57)【要約】【課題】ばらつきが少なく確実に扉を閉止することができ、その上部品点数が少なく簡単な構造で安価で、万一故障した場合にも扉本体を交換することなく、扉閉鎖装置の交換のみで対応することのできる扉閉鎖装置を備えた冷蔵庫を提供すること。【解決手段】冷蔵庫本体１に取付けられて扉７を支持するヒンジ２０と、軸方向の対称位置に凹溝が形成されヒンジ２０の軸２４に回動不能に嵌合されるカム３１、先端部がカム３１を両側から押圧しカム３１の外周に沿って回動する制御ばね４０、制御ばね４０を保持しカム３１の一端を回動自在に支持するばね保持部材５０、及びカム３１の他端を回動自在に支持しばね保持部材５０が取付けられるベース部材５５からなり、扉７に取付けられて扉閉鎖時に制御ばね４０の先端部がカム３１の凹溝内に位置し、制御ばねにより扉７を閉止方向に付勢するようにした扉閉鎖装置３０とを備えた。【選択図】図２
2006329610.tif 000002
【特許請求の範囲】
【請求項１】
冷蔵庫本体に取付けられて扉を支持するヒンジと、
軸方向の対称位置に凹溝が形成され前記ヒンジの軸に回動不能に嵌合されるカム、先端部が前記カムを両側から押圧し該カムの外周に沿って回動する制御ばね、該制御ばねを保持し前記カムの一端を回動自在に支持するばね保持部材、及び前記カムの他端を回動自在に支持し前記ばね保持部材が取付けられるベース部材からなり、前記扉に取付けられて扉閉鎖時に前記制御ばねの先端部が前記カムの凹溝内に位置し、該制御ばねにより扉を閉止方向に付勢するようにした扉閉鎖装置とを備えたことを特徴とする冷蔵庫。
【請求項２】
前記扉閉鎖装置を、扉を構成する上キャップ若しくは下キャップ又は上下のキャップの断熱材側を凹陥させて形成した収容部内に収容したことを特徴とする請求項１記載の冷蔵庫。
【請求項３】
前記扉閉鎖装置は、ヒンジの一部に当接して扉の最大開放位置を規制するストッパーを介して扉に固定されることを特徴とする請求項１又は２記載の冷蔵庫。
【請求項４】
前記扉閉鎖装置は、扉閉鎖時以外は前記制御ばねの先端部が前記カムの凹溝に係合しないように、扉の最大開放位置を規制することを特徴とする請求項１〜３のいずれかに記載の冷蔵庫。
【請求項５】
前記扉閉鎖装置は、制御ばねの先端がカムの凹溝から扉の開放側に所定角度回動した状態で扉に組込まれることを特徴とする請求項１〜４記載の冷蔵庫。
【請求項６】
前記扉閉鎖装置のカムを、円筒状の大径部と、その上下に設けた小径部と、軸方向の対称位置に設けた凹溝とによって構成したことを特徴とする請求項１〜５のいずれかに記載の冷蔵庫。
【請求項７】
前記カムの大径部の上下方向の高さを、前記制御ばねの上下方向の高さより短く形成したことを特徴とする請求項６記載の冷蔵庫。
【請求項８】
前記カムの小径部に、大径部の上下の端部との間に逃げ部を介してそれぞれストッパ部を設けたことを特徴とする請求項７記載の冷蔵庫。
【請求項９】
前記扉閉鎖装置の制御ばねを、先端部が外方に折曲げられて係合部が形成されたほぼΩ字状の主ばね及び必要に応じて該主ばねの外側に重合された補ばねによって構成したことを特徴とする請求項１〜８のいずれかに記載の冷蔵庫。
【請求項１０】
前記制御ばねの係合部の上下の端面エッジ部をバレル処理又は面打ちによりだらしたことを特徴とする請求項９記載の冷蔵庫。
【発明の詳細な説明】
【技術分野】
【０００１】
本発明は、冷蔵庫に係り、より詳しくは、扉を軸支するヒンジ部に配設され、扉を容易かつ確実に閉止することのできる扉閉鎖装置を備えた冷蔵庫に関するものである。
【背景技術】
【０００２】
従来の冷蔵庫の扉閉鎖装置に、扉本体の発泡断熱材内に扉閉止機構を内蔵したものがある。これは、ヒンジ軸に挿入された複数の凹部を有するカムと、コイルバネによりこのカムに圧接されるローラ等によって構成され、カムの凹溝にローラが係合した状態で扉が停止するようにしたものである。すなわち、圧縮されて付勢されたコイルバネにローラが押圧されながらカムの外周を回動し、扉閉止位置に相当する凹溝にかかると付勢されたバネ力が急激に解放されて、強制的に扉が閉鎖される。そして、コイルバネは閉鎖された扉にさらに閉方向の力を加えるようにしているので、他の扉を閉めたときの風圧による扉の開放を防止するようにしている（例えば、特許文献１参照）。
【０００３】
【特許文献１】実開昭５３−１６２９５１号公報（１−２頁、第３図）
【発明の開示】
【発明が解決しようとする課題】
【０００４】
特許文献１に記載された冷蔵庫の扉閉鎖装置は、開放された扉がカムの複数箇所に形成された凹溝の一つにコイルバネで付勢されたローラが係止して停止し、カムにローラを押圧させるために、収納部にコイルバネと一体に組込まれた箱状のケースが収納部の側壁に案内されて摺動するので、その摺動抵抗のために、カムへのローラの押圧力にばらつきが生じ易いという問題があった。
【０００５】
また、バネ力が強いと扉が急激に閉まり、閉鎖音が大きくなったり、逆にバネ力が弱いと扉が止まらず閉め忘れの状態で停止してしまったりする。このため、バネ力を調整する手段が必要となったり、カムにローラを押圧させるために、ピンでローラを係止する箱状のケースを必要とするなど、部品点数が多く複雑な構造でコスト的にも高価になる。
さらに、この扉閉鎖装置は、扉本体の発泡断熱材内に埋設されているため、万一故障した場合には扉本体を交換しなければならなかった。
【０００６】
本発明は、上記の課題を解決するためになされたもので、ばらつきが少なく確実に扉を閉止することができ、その上部品点数が少なく簡単な構造で安価で、万一故障した場合にも扉本体を交換することなく、扉閉鎖装置の交換のみで対応することのできる扉閉鎖装置を備えた冷蔵庫を提供することを目的としたものである。
【課題を解決するための手段】
【０００７】
本発明に係る冷蔵庫は、冷蔵庫本体に取付けられて扉を支持するヒンジと、軸方向の対称位置に凹溝が形成され前記ヒンジの軸に回動不能に嵌合されるカム、先端部が前記カムを両側から押圧し該カムの外周に沿って回動する制御ばね、該制御ばねを保持し前記カムの一端を回動自在に支持するばね保持部材、及び前記カムの他端を回動自在に支持し前記ばね保持部材が取付けられるベース部材からなり、前記扉に取付けられて扉閉鎖時に前記制御ばねの先端部が前記カムの凹溝内に位置し、該制御ばねにより扉を閉止方向に付勢するようにした扉閉鎖装置とを備えたものである。
【発明の効果】
【０００８】
本発明に係る冷蔵庫は、ばらつきがなく確実に扉を閉止することができるため断熱性を損うことがなく、その上部品点数が少なく簡単な構造で安価であり、万一故障した場合にも扉本体を交換することなく、扉閉鎖装置の交換のみで対応することができる扉閉鎖装置を備えたので、実施による効果大である。
【発明を実施するための最良の形態】
【０００９】
［実施の形態１］
図１は本発明の実施の形態１に係る冷蔵庫の斜視図、図２は図１の扉閉鎖装置と下ヒンジ等要部の構成を示す分解斜視図、図３は扉閉鎖装置の分解斜視図、図４は扉閉鎖装置を組立てた状態を示す側面図及びそのＡ−Ａ断面図、図５は野菜室扉の下キャップに扉閉鎖装置を取付けた状態を示す上面図及びそのＢ−Ｂ断面図である。
【００１０】
本実施の形態に係る冷蔵庫を構成する冷蔵庫本体１は、それぞれ前面を開口して、上部に冷蔵室、その下に並設された製氷室と温度帯切替室、最下部左側に冷凍室、右側に野菜室が区画形成されている。２〜７は各室の前面開口を開閉自在に閉塞する扉で、２，３は冷蔵室の左右の扉、４は製氷室の扉、５は温度帯切替室の扉、６は冷凍室の扉、７は冷蔵庫本体１に取付けたヒンジに開閉自在に支持された野菜室の扉である。この野菜室の扉７（以下、野菜室扉という）は、上キャップ７１、下キャップ７２、外板７３、内板７４及びこれらで囲繞された空間内に注入発泡された断熱材等によって構成され、内板７４側の周縁にはマグネットガスケット７５が装着されている。なお、下キャップ７２の縁部には外板７３が挿入される溝部７２ａが設けられており、また、後述の下ヒンジ２０に対応する位置には、断熱材側を凹陥して形成され下部が開口されて後述の扉閉鎖装置３０が挿入されて収容される収容部７２ｂが一体に形成されている。
【００１１】
２０は冷蔵庫本体１の下部に固定され、上ヒンジ（図示せず）とにより野菜室扉７を開閉自在に支持する下ヒンジである。この下ヒンジ２０は、複数のねじ挿通穴２１ａを有し冷蔵庫本体１に固定される垂直片２１と、その一部に設けられた水平片２２とによりほぼＬ字状に形成されており、水平片２２には野菜室扉７が最大開放位置で、後述のストッパー５０の係止突部５２が当接する係止段部２３が設けられており、また、カシメなどにより一体に取付けられて野菜室扉７を枢支する軸２４が立設され、この軸２４の軸方向には、後述のカム３１が回動不能に嵌合するための溝２５が設けられている。
【００１２】
扉閉鎖装置３０において、３１は例えば合成樹脂からなり、大径部３２ａと、その上下に設けた上小径部３２ｂ、下小径部３２ｃとからなる筒状のカムで、軸方向の対称位置には、両側縁部が傾斜面３３ｃに形成された凹溝３３ａ，３３ｂが設けられており、また、内壁には下ヒンジ２０の軸２４に設けた溝２５に係止する突部３４（図４参照）が設けられて、下ヒンジ２０の軸２４に回動不能に嵌合される。
【００１３】
４０は板ばねを折曲げて形成した制御ばねで、両端部が外方に折曲げられてＲ付けされ、カム３１の凹溝３３ａ，３３ｂに係合する係合部４１ａ，４１ｂが形成されたほぼΩ字状の主ばね４１と、主ばね４１の外側にほぼ密着して配設された補ばね４２とからなり、補ばね４２は、その両端部が主ばね４１の係合部４１ａ，４１ｂと、後述の取付部４３とのほぼ中間に位置する大きさとなっている。また、主ばね４１の開口部４５の反対側には、ねじ挿通穴４４ａ，４４ｂ（４４ｂは図示せず）を有する取付部４３が、主ばね４１と補ばね４２とに一体に設けられている。
【００１４】
５０は垂直片５１ａとその上下に互いに反対方向に延設された上水平片５１ｂと下水平片５１ｃとによって、ほぼＳ字状に形成されたばね保持部材で、上水平片５１ｂにはカム３１の上小径部３２ｂが回動自在に嵌入して支持される軸受穴５２が設けられており、垂直片５１ａには制御ばね４０の取付部４３ねじ挿通穴４４ａ，４４ｂに対応してねじ穴５３ａ，５３ｂ（５３ａは図示せず）が設けられている。また、下水平片５１ｃの垂直片５１ａ側とその反対側にはねじ挿通穴５３ｃ，５３ｄ（５３ｄは図示せず）及び５３ｅが設けられている。
【００１５】
５５は周壁５６を有する断面コ字状のベース部材で、カム３１の下小径部３２ｃが回動自在に嵌入する軸受穴５７、ねじ挿通穴５８ａ，５８ｂ，５８ｃが設けられており、下面には位置決め突部５９が突設されている。
６０は例えば鋼板製のストッパーで、カム３１の下小径部３２ｃが挿入される軸受穴６１、ベース部材５５の位置決め突部５９に嵌合する位置決め穴６２ａ、及びねじ挿通穴６２ｂが設けられており、一方の側縁部は下方に折曲げられて、その一端に野菜室扉７を開放したときに、下ヒンジ２０の係止段部２３に当接する係止突部６３が設けられている。
６５は底部とその両側に立設された垂直部とからなり、断熱材に埋設されたほぼコ字状の補強板で、底部にはねじ穴６６が設けられている。
【００１６】
次に、上記のように構成した扉閉鎖装置３０の組立手順、野菜室扉７への取付手順の一例について説明する。
先ず、制御ばね４０の取付部４３をばね保持部材５０の垂直片５１ａに当接し、取付部４３のねじ挿通穴４４ａ，４４ｂに挿入したねじ８０を垂直片５１ａのねじ穴５３ａ，５３ｂに螺入し、一体に固定する。
【００１７】
次に、制御ばね４０の係合部４１ａ，４１ｂにカム３１の凹溝３３ａ，３３ｂを係合させると共に、ばね保持部材５０の上水平片５１ｂの軸受穴５２にカム３１の上小径部３２ａを嵌合させる。ついで、ばね保持部材５０の下水平片５１ｃをベース部材５５の周壁５６内に嵌合させ、軸受穴５７にカム３１の下小径部３２ｃを挿入する。なお、カム３１と制御ばね４０の係合部４１ａ，４１ｂとの間には、摺動時の摩擦抵抗を軽減するために、潤滑油が塗布される。そして、ベース部材５５のねじ挿通穴５８ａ，５８ｂに挿通したねじ８１を、ばね保持部材５０の下水平片５１ｃに設けたねじ穴５３ｃ，５３ｄに螺入し、一体に固定する。これにより扉閉鎖装置３０の組立が完了する。このときの状態を図４に示す。
【００１８】
この扉閉鎖装置３０を野菜室扉７に取付けるにあたっては、図５に示すように、野菜室扉７の下キャップ７２に断熱材側を凹陥して設けた収容部７２ｂに、下部開口部から扉閉鎖装置３０を挿入する。そして、ベース部材５５の下面にストッパー６０を当接してその軸受穴６１をカム３１の下小径部３２ｃに嵌合すると共に、位置決め穴６２ａをベース部材５５の下面に設けた位置決め突部５９に嵌合する。また、収納部７２ｂの上面に補強板６０を当接する。
【００１９】
そして、ストッパー６０、ベース部材５５、ばね保持部材５０及び収納部７２ｂのねじ挿通穴６１ｂ，５８ｃ，５３ｅに挿通したねじ８２を補強板６５の底部に設けたねじ穴６６に螺入し、これらを一体に固定する。これにより、扉閉鎖装置３０の野菜室扉７への取付けが完了する。
【００２０】
扉閉鎖装置３０が取付けられた野菜室扉７を野菜室の開口部に取付けるにあたっては、野菜室の上縁部において冷蔵庫本体１に取付けられた上ヒンジ（図示せず）に、野菜室扉７の上キャップ７１に設けた軸受穴（図示せず）を嵌入し、また、扉閉鎖装置３０のカム３１に軸２４を挿入した下ヒンジ２０の垂直片２１を、野菜室の下縁部において冷蔵庫本体１にねじで固定すれば、野菜室扉７は冷蔵庫本体１に、上下のヒンジにより開閉自在に支持される。
下ヒンジ２０を冷蔵庫本体１に先に取付けておく場合には、制御ばね４０の係合部４１ａ，４１ｂが、図４に示すようなカム３１の凹溝３３ａ，３３ｂに係合した状態ではなく、大径部３２ａ上に位置するようにあらかじめカム３１を回転（例えば、図４でカム３１を右方向に約９０°回転）させ、野菜室扉７が開放された状態にしておけばよい。
【００２１】
次に、上記のように構成した扉閉鎖装置３０の作用について説明する。
上ヒンジと下ヒンジ２０とにより開閉自在に支持された野菜室扉７は、野菜室の閉止状態においては、図６に示すように、制御ばね４０の係合部４１ａ，４１ｂはカム３１の凹溝３３ａ，３３ｂに嵌合している。このとき、下ヒンジ２０の水平片２２に立設された軸２４の取付角度は、実線で示すように、野菜室扉７が野菜室の前縁に対してθ°（例えば、８°）閉方向になるように設定されている。
【００２２】
すなわち、カム３１は冷蔵庫本体１に固定された下ヒンジ２０の軸２４に回動不能に嵌合されているため、制御ばね４０の係合部４１ａ，４１ｂはカム３１の凹溝３３ａ，３３ｂの最深部に達せず、最深部より僅かに手前の傾斜面上に位置している。このため、制御ばね４０は僅かに付勢されて野菜室扉７を閉止方向に押圧し、破線で示すように位置して野菜室の開口部を閉鎖する。
【００２３】
野菜室扉７を開くと、図７に示すように、制御ばね４０の係合部４１ａ，４１ｂはカム３１の凹溝３３ａ，３３ｂの傾斜面に沿って摺動しつつ移動し、制御ばね４０は徐々に付勢されて外周面（大径部３２ａ）に至ると最大になる。
さらに野菜室扉７を開放すると、図８に示すように、下キャップ７２に取付けられたストッパー６０の係止突部６３が下ヒンジ２０の係止段部２３に当接し、野菜室扉７は最大限に開放されて停止する。この状態においても、制御ばね４０の係合部４１ａ，４１ｂはカム３１の凹溝３３ａ，３３ｂに嵌合しないように、換言すれば、制御ばね４０はカム３１の大径部３２ａ上に位置して付勢されているが、係合部４１ａ，４１ｂは軸に対して対称的に位置しているため回動力は生じないので、野菜室扉７はその位置に保持される。
【００２４】
このようにして開放された野菜室扉７を閉じる場合は、野菜室扉７に閉鎖方向の力を加えると、制御ばね４０は最大限に付勢された状態のまま係合部４１ａ，４１ｂがカム３１の大径部３２ａ上をスムーズに摺動する。そして係合部４１ａ，４１ｂが凹溝３３ａ，３３ｂの両側縁部の傾斜面３３ｃにかかると付勢された押圧力が回動力となるため、力を加えなくても野菜室扉７は急激かつ自動的に野菜室の開口部を閉鎖し、図６の状態に戻る。
【００２５】
ところで、上記のような本実施の形態において、野菜室扉７を回動すると、制御ばね４０の係合部４１ａ，４１ｂの上下の端面エッジ部がカム３１の大径部３２ａに接触し、大径部３２ａが損傷したり磨耗したりして、野菜室扉７を開閉するときにこじれ音などを発生することが考えられる。
このような問題が発生するのを回避するために、制御ばね４０の係合部４１ａ，４１ｂの上下の端面エッジ部を、バレル処理あるいは面打ちなどによってだらせば、カム３１の大径部３２ａの損傷や磨耗を防止することができる。
【００２６】
本発明に係る扉閉鎖装置３０によれば、この扉閉鎖装置３０が組込まれた扉は、開放された状態からこれに加える力が弱くても、所定の開放位置に達すると開口部を自動的に閉鎖することができ、途中で停止することはなく確実に閉鎖することができる。
また、制御ばね４０が直接カム３１を挟持することによりばねが付勢されるので、組立て時のばらつきによる押圧力（付勢力）のばらつきがなく、所定のばね力を直接扉閉鎖力に変換することができる。
【００２７】
また、扉の閉鎖力を大きくする、すなわち、制御ばね４０の付勢力を大きくするためには、カム３１の凹溝３３ａ，３３ｂを深くして落差を大きくしたり、あるいは制御ばねの高さ寸法を高くしたり板厚を厚くすることが考えられるが、このようにすると扉に組込むために大きなスペースを必要とするばかりでなく、加工性が悪くなる。
本発明においては、板厚が薄くても十分な付勢力が得られるように、主ばね４１の外側に補ばね４２を重合させて、制御ばね４０の基部を補強し、主ばね４１の係合部４１ａ，４１ｂにより直接カム３１を挟持するようにしたので、小型で耐久性のある制御ばね３５を得ることができ、冷蔵庫の断熱性を損うことなく扉のキャップに設けた収容部７２ｂに収容することができる。なお、小さな扉や収容物の負荷が少なく軽い扉の場合は、１枚の主ばね４１だけでもよい。
【００２８】
さらに、カム３１が制御ばね４０を直接付勢するという簡単な構造なので、部品点数が少なく動作も円滑であり、安価な扉閉鎖装置３０を得ることができる。
また、本発明に係る扉閉鎖装置３０においては、扉が最大開放位置に達しても制御ばね４０の係止部４１ａ，４１ｂがカム３１の凹溝３３ａ，３３ｂに係合することのないように、下ヒンジ２０に設けた係止段部２３とストッパー６０に設けた係止突部６３とにより最大開放位置を規制しているので、扉が最大角度まで開放されていても、扉を閉じるときに大きな力を必要としない。
【００２９】
また、この扉閉鎖装置３０は、扉のキャップに設けた収容部７２ｂに収容するようにしているため、断熱材を発泡する前後どちらでも組込むことができるので、工作性がよい。
さらに、扉閉鎖装置３０は、キャップにより発泡断熱材から遮蔽されているため、万一故障しても扉を交換することなく扉閉鎖装置３０だけを容易に交換できるので、サービス性にすぐれた冷蔵庫を得ることができる。
【００３０】
また、この扉閉鎖装置３０は、カム３１の上下の小径部３２ｂ，３２ｃをばね保持部材５０とベース部材５５の軸受穴５２，５７に回動自在に嵌入して保持しているので、扉本体又はキャップに組込む前にカム３１を回転させても、制御ばね４０の押圧力によってカム３１が外れることはない。このため、両者間の磨耗を軽減するために潤滑油を塗布する作業は、カム３１又は制御ばね４０にあらかじめ塗布しておく必要がなく、組立てた後にカム３１を回転させて潤滑油を塗布することができるので、組立ての際に手や部品を汚すことなく作業することができる。
【００３１】
［実施の形態２］
図９は本発明の実施の形態２に係る冷蔵庫の扉閉鎖装置の側面図、図１０は図９の分解斜視図、図１１は図１０のカムの拡大斜視図である。なお、実施の形態１と同じ部分にはこれと同じ符号を付し、説明を省略する。
【００３２】
本実施の形態は、カム３１の大径部３２ａの上下方向の高さ（長さ）ｈ1を、制御ばね４０の上下方向の高さｈより低く（短く）形成すると共に、上下の小径部３２ｂ，３２ｃに、大径部３２ａから所定の距離を隔てて、大径部３２ａとほぼ同じ外径のフランジ状のストッパ部３５ａ，３５ｂを設けたものである。なお、以下の説明では、大径部３２ａとストッパ部３５ａ，３５ｂとの間を逃げ部３６ａ，３６ｂという。
このストッパ部３５ａ，３５ｂは、扉閉鎖装置３０を組立てたときに、上部のストッパ部３５ａの上面が、保持部材５０の上水平片５１ｂの下面に当接し、下部のストッパ部３５ｂの下面がベース部材５５の軸受穴５７の上面外周に当接する位置に設けられている。
【００３３】
本実施の形態に係る扉閉鎖装置３０の組立手順は、実施の形態１の場合とほぼ同様であるが、図９に示すように、カム３１の上部のストッパ部３５ａが保持部材５０の上水平片５１ｂの下面に当接し、下部のストッパ部３５ｂがベース部材５５の軸受穴５７の上面外周に当接して位置決めされており、また、制御ばね４０の係合部４１ａ，４１ｂの上下の端面エッジ部４６ｃ，４６ｄはカム３１の逃げ部３６ａ，３６ｂに位置している。
【００３４】
上記のように構成した本実施の形態によれば、冷蔵庫本体１に固定された下ヒンジ２０の軸２４に回動不能に支持されたカム３１に、野菜室扉７に固定されて回動可能に装置されたベース部材５５及び保持部材５０は、カム３１のストッパ部３５ａ，３５ｂに保持されているので、野菜室扉７を回動しても上下に移動することがなく、また、制御ばね４０の係合部４１ａ，４１ｂの上下の端面エッジ部４６ａ，４６ｂはカム３１の逃げ部３６ａ，３６ｂに位置しているので、カム３１の大径部３２ａに接触することがない。
【００３５】
このため、野菜室扉７の回動にあたり、制御ばね４０の係合部４１ａ，４１ｂの上下の端面エッジ部４６ａ，４６ｂがカム３１の大径部３２ａに接触することがないので、係合部４１ａ，４１ｂは大径部３２ａに沿ってスムーズに回動することができる。また、これにより、カム３１の大径部３２ａが損傷したり磨耗したりすることがないので、扉閉鎖装置３０の寿命を延ばすことができる。
【００３６】
上記の説明では、野菜室扉７の下キャップ７２に断熱材側を凹陥して収容部７２ｂを設け、この収容部７２ｂに扉閉鎖装置３０を収容した場合を示したが、同様にして、上キャップ７１にも扉閉鎖装置３０を設けてよい。
また、野菜室扉７に扉閉鎖装置３０を設けた場合を示したが、他の扉にも扉閉鎖装置３０を設けてもよく、この場合、上下のキャップに扉閉鎖装置３０を組込めば、より大きな扉や大きな負荷のかかる重い扉にも対応することができる。
さらに、図示の冷蔵庫の扉に本発明に係る扉閉鎖装置３０を組込んだ場合を示したが、他の構造の冷蔵庫の扉にも本発明を実施することができる。
【図面の簡単な説明】
【００３７】
【図１】本発明の実施の形態１に係る冷蔵庫の斜視図である。
【図２】図１の扉閉鎖装置と下ヒンジ等を分解して示す斜視図である。
【図３】図２の扉閉鎖装置の分解斜視図である。
【図４】扉閉鎖装置を組立てた状態を示す側面図及びそのＡ−Ａ断面図である。
【図５】野菜室扉の下キャップに扉閉鎖装置を取付けた状態を示す平面図及びそのＢ−Ｂ断面図である。
【図６】扉閉鎖装置の作用説明図である。
【図７】扉閉鎖装置の作用説明図である。
【図８】扉閉鎖装置の作用説明図である。
【図９】本発明の実施の形態２に係る冷蔵庫の扉閉鎖装置の側面図である。
【図１０】図９の分解斜視図である。
【図１１】図１０のカムの拡大斜視図である。
【符号の説明】
【００３８】
１  冷蔵庫本体、７  野菜室扉、２０  下ヒンジ、３０  扉閉鎖装置、３１  カム、３３ａ，３３ｂ  凹溝、３５ａ，３５ｂ  ストッパ部、３６ａ，３６ｂ  逃げ部、４０  制御ばね、４１  主ばね、４１ａ，４１ｂ  係合部、４２  補ばね、４６ａ，４６ｂ  端面エッジ部、５０  ばね保持部材、５５  ベース部材、６０  ストッパー。
【図１】
2006329610.tif 000003
【図２】
2006329610.tif 000004
【図３】
2006329610.tif 000005
【図４】
2006329610.tif 000006
【図５】
2006329610.tif 000007
【図６】
2006329610.tif 000008
【図７】
2006329610.tif 000009
【図８】
2006329610.tif 000010
【図９】
2006329610.tif 000011
【図１０】
2006329610.tif 000012
【図１１】
2006329610.tif 000013